(57)【要約】  本発明は、硬質材料からなる挿入物（１ａ）によって下部が二重構造になっている基部（３）を含む調理器具に関する。上記挿入物は、上記基部に固定するための、上記挿入物を貫通する開口（７）を有する。当該開口のうちの少なくともいくつかはそれぞれ、長さ方向において丸みのある弓形を形成する延伸溝（３１ａ）の形状をしている。当該弓形は、上記挿入物の中心、または上記挿入物の外周（１０ａ）に向かって延伸する対向端部を有する。
2010535046.tif 000002
【特許請求の範囲】
【請求項１】
硬質材料からなる挿入物（１ａ）によって下部が二重構造になっている基部（１ｂ、３）と、上記基部との接着のための、上記挿入物を貫通する開口（７）とを含み、当該開口のうちの少なくともいくつかは、延伸溝（３１ａ、３１ｂ、３１ｃ、３１ｄ）を形成し、当該延伸溝はそれぞれ、その長さ方向において、丸みのある弓形の形状をなしており、
上記延伸溝（３１ａ、３１ｂ、３１ｃ、３１ｄ）は延伸する対向端部（３１０ａ、３１１ａ、３１０ｄ、３１１ｄ）を有し、当該対向端部は全て、上記挿入物（１ａ）の中心に向かって延伸するか、または上記挿入物の外周に向かって延伸することを特徴とする調理器具。
【請求項２】
上記延伸溝（３１ａ、３１ｂ、３１ｃ…）は、２つの対向端部（３１０ａ、３１１ａ、３１０ｄ、３１１ｄ）を有し、端部は２つのみであることを特徴とする請求項１に記載の調理器具。
【請求項３】
上記延伸溝（３１ａ、３１ｂ、３１ｃ…）の外形は閉じられていることを特徴とする請求項１または２に記載の調理器具。
【請求項４】
上記延伸溝における上記対向端部（３１０ａ、３１１ａ、３１０ｄ、３１１ｄ）はそれぞれ、隣接する延伸溝における上記対向端部の１つに対してほぼ平行であることを特徴とする請求項１から３のいずれか１項に記載の調理器具。
【請求項５】
上記延伸溝における上記対向端部（３１０ａ、３１１ａ、３１０ｄ、３１１ｄ）は、直線状の中心部分、または、上記基部の上記外周（１０ａ）に対向する凸部を有する屈曲部分、を介して互いに接合する２つの直線状の側部の一部であることを特徴とする請求項１から４のいずれか１項に記載の調理器具。
【請求項６】
各延伸溝（３１ｄ）によって形成される上記弓形は、上記対向端部（３１０ａ、３１１ａ、３１０ｄ、３１１ｄ）と比較して、上記挿入物の上記外周のより近くに位置する中央部分を有し、
上記延伸溝は、好ましくは、上記対向端部に向かうよりも、上記中央部分に向かって幅が広くなることを特徴とする請求項１から５のいずれか１項に記載の調理器具。
【請求項７】
各延伸溝（３１ａ、３１ｂ、３１ｃ）によって形成される上記弓形は、上記対向端部（３１０ａ、３１１ａ、３１０ｄ、３１１ｄ）と比較して、上記挿入物（１ａ）の上記中心のより近くに位置する中央部分を有し、
上記延伸溝は、好ましくは、上記対向端部に向かうよりも、上記中央部分に向かって幅が大きくなることを特徴とする請求項１から４のいずれか１項に記載の調理器具。
【請求項８】
上記基部における中心の周りに、二等辺三角形を形成して配置される、長さの等しい上記弓形（３１ｃ）を３つ含み、上記二等辺三角形の辺は、当該二等辺三角形の中心に対向する凸部を有する弓状であり、上記二等辺三角形におけるそれぞれの角では、上記弓形は互いから離れていることを特徴とする請求項１から４のいずれか１項に記載の調理器具。
【請求項９】
上記弓形は、上記中心の周りに配置され、放射状の複数の花弁形（３１ｄ）を形成し、それぞれが上記基部の上記外周（１０ａ）に対向する凸部を有していることを特徴とする請求項１から４のいずれか１項に記載の調理器具。
【請求項１０】
上記弓形（３１ｄ）はそれぞれＵ字形であり、放射軸（４１）に対して対称の２つの部分を有し、上記Ｕ字形の各側部の間の距離（ｈ１）は、当該各側部を結ぶ上記中央部分よりも上記中心に近い、上記各側部における、互いから離れている各端部において、上記中央部分の長さ（ｈ２）よりも短いことを特徴とする請求項９に記載の調理器具。
【請求項１１】
上記弓形はそれぞれ、上記基部の上記外周（１０ａ）に端部が対向して突き出るＵ字形であり、放射軸（４１、４３）に対して対称の２つの部分を有することを特徴とする請求項１から４のいずれか１項に記載の調理器具。
【請求項１２】
ほぼ円形の外形を有し、上記延伸溝（３１ａ、３１ｂ…）と比較して、上記基部の上記中心のより近くに位置する他の開口（３０ａ）が、上記挿入物（１ａ）を貫通していることを特徴とする請求項１から１１のいずれか１項に記載の調理器具。
【請求項１３】
各延伸溝（３１ａ、３１ｂ、３１ｃ）によって形成される上記弓形は、上記端部と比較して、上記挿入物の上記中心のより近くに位置する中央部分を有し、
ほぼ円形の外形を有する他の開口（３１ａ）が上記挿入物を貫通していることを特徴とする請求項４に記載の調理器具。
【請求項１４】
ほぼ円形の外形を有し、各延伸溝（３１ａ、３１ｂ…）によって形成される上記丸みのある弓形の形状の内側に位置する他の開口（３０ａ）が上記挿入物を貫通していることを特徴とする請求項１から１０のいずれか１項に記載の調理器具。
【請求項１５】
上記基部（１ｂ、３）は、少なくとも大部分が、上記挿入物（１ａ）の材料よりも軟質の第１材料からなる帽子状部材（１１）の一部であり、上記挿入物は、延伸溝（３１ａ、３１ｂ、３１ｃ）を含む、上記挿入物を貫通する開口（３０）によって上記第１材料に対して凹部嵌入されていることを特徴とする請求項１から１４のいずれか１項に記載の調理器具。
【請求項１６】
上記基部（１ｂ、３）は上記挿入物（１ａ）の材料よりも軟質の材料からなる層（１ｂ）を含み、より軟質の当該層は、
上記延伸溝（３１ａ、３１ｂ、３１ｃ）を含む、貫通する上記開口（７）によって上記第１材料に凹部嵌入される上記挿入物（１ａ）と、
より軟質の上記層（１ｂ）の材料よりも硬質の材料からなる帽子状部材（１０ｂ）における基部壁（３）と、
の間に挟持されることを特徴とする請求項１から１４のいずれか１項に記載の調理器具。
【発明の詳細な説明】
【技術分野】
【０００１】
本発明は、硬質材料からなる挿入物によって下部が二重構造になっている基部を含む調理器具に関する。当該挿入物は、特に上記基部に固定するための、上記挿入物を貫通する開口を有する。
【背景技術】
【０００２】
国際公開ＷＯ２００６／１２６８４８に、上記のような調理器具が開示されている。当該調理器具において、基部はアルミニウムからなる帽子状部材の一部である。ＦＲ−Ａ−２６９３０９３は、調理器具を開示する別の例である。当該調理器具は開口を含み、少なくともそのいくつかが延伸溝の形状を有しており、当該延伸溝はそれぞれ長さ方向において丸みのある弓形の形状をなしている。
【発明の概要】
【発明が解決しようとする課題】
【０００３】
しかしながら、特に以下の問題に関連して、技術のさらなる発展が必要とされている。
−上記器具の製造時における上記基部の変形に対する耐性
今後さらに重要になってくる点として、
−上記器具がその使用時に受け得る火力の強度と、実行可能な方法で誘導によって加熱され得る性能と、の兼ね合い（このような加熱方法に対して適用できる材料が用いられる時点から）
−上記基部を構成するより軟質材料の少なくとも一部に対する、より硬質の材料からなる上記挿入物の接着
本発明では、特に、以下を両立させることを目的としている。
−硬質材料からなる上記挿入物の表面積を、当該挿入物に形成された上記開口によって低減すること
−上記器具が誘導を用いた従来の加熱システムに適用できるように、挿入物において適切な表面積を確保すること
【課題を解決するための手段】
【０００４】
上述した目的及び両立の全て、またはその一部を実現するために、（丸みのある弓形の形状をなす溝によって形成される）上記開口のうちの少なくともいくつかが、延伸する対向端部を有しており、当該対向端部の全てが、上記挿入物の中心に向かって延伸するか、または上記挿入物の外周に向かって延伸する、ことがまず提案される。
【０００５】
これにより、機械的強度が向上する。また、上記挿入物の表面積を低減するために、誘導による加熱の性能の面で効率的な、別の穴などをさらに用いることが好ましい。
【０００６】
よって、ＦＲ２６９３０９３に記載されるような、角を有する扇形の開口及び／または放射状の溝、並びに、国際公開ＷＯ２００６／１２９８４８に記載される１４ｂのような２を超える数の自由端を持った溝の形状をした、分岐している溝は、（単独では）設けないことが推奨される。
【０００７】
さらに、上記後者の文献との比較で、上記溝の外形は閉じられていることが推奨される。上記後者の文献における溝（１４ａ）は、外周において、または、中央に位置する大型の開口部において、開いている。外形が閉じられることによって、機械的強度が向上する。
【０００８】
挿入される上記挿入物の接着を実現可能にするために、上記基部は、上記挿入物の材料と比較して非常に軟質の第１材料を含み、上記開口は、上記挿入物を貫通する上記延伸溝を含み、アルミニウムなどの非常に軟質の上記第１材料によって満たされることが推奨される。
【０００９】
さらに、考えられる様々な製造技術を考慮して、特に以下が推奨される。
−上記基部は、少なくともその大部分が、上記挿入物の材料よりも軟質の、一定の／上記の第１材料からなる、帽子状部材の一部であり、上記挿入物は、上記挿入物を貫通する上記開口（上記延伸溝を含む）によって、上記第１材料に対して凹部嵌入されるか、または、
−上記基部は、上記挿入物の材料よりも軟質の、一定の／上記の材料からなる層を含み、当該層は、上述したように上記第１材料に対して凹部嵌入された上記挿入物と、上記層の上記材料よりも硬質の、ステンレス鋼などの別の硬質材料からなる帽子状部材における基部壁と、の間に挟持される。
【図面の簡単な説明】
【００１０】
本発明の目的及び実用的な実施形態に係る他の特徴を、非制約的な例として示す以下の図面と関連付けて下記に説明する。
【００１１】
［図１］は調理器具の概略図であり、概して、図３に示す断面線Ｉ−Ｉにおける垂直断面図である。
【００１２】
［図２］は図１における細部IIに対応する。
【００１３】
［図３］は図１に示す調理器具の基部を矢印IIIの方向から見た図である。
【００１４】
［図４］〜［図６］および［図７］〜［図９］の各グループは他の実施形態を、図１〜図３と同様に図示する。
【００１５】
［図１０］〜［図１３］はそれぞれ異なる実施形態に係る挿入物を図３、図６及び図９と同様に示す概略図である。図３、図６及び図９に示した、より展性のある材料からなる小型の充填物は、全体的には示していない。なお、当該充填物を含むことは必須ではないものの、推奨される（図１３参照）。上記基部の中心に位置する上記充填物、または、上記中心近傍の上記充填物の代わりに、例えば図１０、図１２及び図１３に示すような、直径の大きい単一の充填物を用いてもよい。
【発明を実施するための形態】
【００１６】
本記載においては、少なくとも１つの取っ手１０と、加熱または調理すべき食品または調理済み食品を入れる（中空の）帽子状部材１０ｂ（図７）または１１（図１、図４）と、を一般に含むあらゆる台所用品を「調理器具」と呼称する。上記帽子状部材における基部は、適切な熱源からの熱を最も受けやすいため、敏感な部分である。フライパン及びソースパンなども、本記載に関連する。
【００１７】
上記各図において、常に番号１で参照される上記調理器具は、硬質材料（本記載においては金属）１ａからなる部分を含んでおり、当該部分は、上記器具の下部の、より軟質の材料（本記載においては金属）１ｂからなる部分に挿入される。これらの両部分は組み合わされて、機能を実現する強化基部を形成する。
【００１８】
ここで、上記部分１ａ、すなわち格子状部材は、上記器具の誘導による加熱に用いることができる強磁性材料からなる。上記部分は、ステンレス鋼からなっていてもよい。一方、上記部分１ｂは、少なくとも上記基部３の位置において、よく熱を拡散する材料からなり、これにはアルミニウムが適している。
【００１９】
図１から図６に示されるように、部分１ｂは単一の部分であることが好ましい。従って、上記部分１ｂは、横方向に伸びる基部壁３を備えており、当該基部壁３から、側壁５が上方に伸びている。上記部分１ｂの形状は、中空の帽子状である。上記部分１ｂには、上記取っ手が取り付けられている。
【００２０】
このように、上記基部壁における少なくとも１つの部分は、その下部が、硬質金属からなる部分１ａによって二重構造になっている。当該部分１ａは、基部への挿入物を形成する。当該挿入物には穴を開けておいてもよく、または部分的に切断されていてもよい。
【００２１】
図１に図示する上記器具の上記基部は、実使用において、下部の面１１ａが平面ではなく、周辺の長さが一定の、下方に位置する基部領域１５の位置を決めるために屈曲部または凹部を有しており、上向きの凸部を備えることがわかるであろう。
【００２２】
さらに、基本として、上記挿入物１ａは、図１に示すように、具体的には板状であってもよい。または、図５に示すように、隆起した周縁端部１２ａを有する口金状であってもよい。図７の場合、上記挿入物１ａは、加圧下にて、より軟質の基部１ｂと接合し、その仕上がり形状は凹形となる。図１において、上記挿入物１ａの大きさは、上記基部３における中央部分３の周辺部に限定される（図３も併せて参照のこと）。従って、図１の上記挿入物１ａはほぼ、基本の形状に止まり、周縁端部は隆起しない。また、図５に示す端部形状以外の端部形状を用いることも可能であり、例えば（外側に肩状部を有する）リム、またはより張り出した端部が形成されていてもよい。
【００２３】
いかなる場合においても、上記挿入物１ａは、開口部７を介して、より軟質の基部に対する凹部嵌入によって固定される。上記開口部７は、上記挿入物１ａを貫通し、上記基部壁の軟質金属によって密接して満たされる。このように、上記開口部を有する上記挿入物１ａによって、変形に対する上記基部の耐性が向上する。
【００２４】
より明確に理解するために図２、図５及び図８を参照すると、上記開口部７は、１つまたは複数の特徴を有していてもよい。まず、上記開口部７は、変形防止用の延伸溝３１ａ、３１ｂ…を含んでおり、当該延伸溝３１ａ、３１ｂ…は、全て同一の形状であっても、そうでなくてもよい。また、特に、他の開口を用いた凹部嵌入によって固定してもよい。当該凹部嵌入には、例えば、直径の小さい円形充填物３３ａ、及び／または、図２において上記挿入物を貫通する、直径の小さい開口（同図では、円形の開口）３０ａと、図１２において上記挿入物を貫通する、直径の大きい開口（同図では、円形の開口）３０ｂと、の対応する開口の位置における直径のより大きい中央充填物３５ａ（図１０、図１２及び図１３）を用いる。
【００２５】
図１１では、上記延伸溝３１ｂのみによって、上記帽子状部材において、上記挿入物と上記基部とが接合されるようにしている。
【００２６】
図７から図９では、中央部分（同図では円板状）の多くが、上記挿入物における凹領域３７によって占められている。当該凹領域３７によって、上記挿入物を用いた凹部嵌入による剛性及び接着性を高め、誘導による加熱の性能が向上する。これは、誘導が上記基部材料１ｂを通過せず、さらに、上記挿入物が強磁性である場合、挿入物が誘導コイルからの磁気波に対する感度がよいからである。
【００２７】
いずれの場合においても、機械的性能のため、及び、好ましくは、上述した両立を図ることに留意して、上記開口部７が設けられている場合、その外形は、具体的には上記溝３１ａ、３１ｂ、３１ｃ…のように、閉じられていることが推奨される。
【００２８】
上記延伸溝３１ａ…３１ｄは、本発明の重要な特徴であり、その長さ（図９及び図１１では、記号ｌとして参照）方向に沿って、丸みのある弓形をなす。当該延伸溝３１ａ…３１ｄは、図１３における３１０ｄ及び３１１ｄまたは図１０における３１０ａ及び３１１ａなどの対向端部を有する。当該対向端部は全て、図１３に示すように上記挿入物１ａの中心に向かって延伸する（すなわち、当該中心の方を向く）か、または、他の全ての図（特に、図１、図６及び図１０）に示すように、上記挿入物１ａの外周１０ａに向かって延伸する。
【００２９】
上述したが、上記延伸溝には、例えば上記溝３１ａにおける３１０ａ及び３１１ａのような、上述の２つのみの対向端部が設けられている。上記延伸溝には、国際公開ＷＯ２００６／１２６８４８において注目し得る分岐部のような、他の中間的な端部は設けられていない。
【００３０】
多くの試験の結果、高い機械的性能に加えて、追求する両立を得るために、例えば図６に示す上記溝３１ａ及び３１ａ１における３１１ａ及び３１１ａ１のように、上記延伸溝（３１ａ、３１ｂ…）における対向端部はそれぞれ、隣接する溝の端部の１つに対してほぼ平行であることが推奨される。
【００３１】
延伸溝における「端部」で表わされるものは、例えば図６における３１２及び３１４のような、当該溝の各側枝における、少なくとも端の部分、または当該側枝全体であることが理解されるであろう。上述した「ほぼ平行」という特徴は、このような平行状態であることと理解されるべきである。
【００３２】
上記基部を下方から見た図からわかるように、上記延伸溝３１ａ、３１ｂ…は上記基部の中心の周りに星形に配置されている。これは、機械的安定性を高め、加熱領域を実行可能な方法で分散する面で望ましい。
【００３３】
さらに、上記の理由のため、及び、目的とする上記両立に利するように、上記各溝の両方の側枝または両方の部分が直線状になっていて、直線状の中央部分（図３における３１６）でつながっているか、もしくは、上記基部の上記外周１０ａに対向する凸部を有して屈曲し、従って、図６または図９に示す、上記側枝３１２と３１４との間における中央部分３１８のようになっていることが推奨される（図１３における中央部分３２０も併せて参照）。
【００３４】
上述のように、直線状にすることは、直径の小さい円板状挿入物を用いる場合には特に推奨される。
【００３５】
上記溝を工業的に形成する場合は、本明細書に記載の目標を達成するために、２または３種類の方法を用いることが推奨される。
【００３６】
まず、図６、図９及び図１０に示す形状に沿って溝を形成する。すなわち、
−２１ａなどの各延伸溝によって形成される弓形は、３１６または６１８などの中央部分を有し、当該中央部分は、３１０ａ及び３１１ａなどの上記端部と比較して、上記挿入物１ａの上記中心により近く位置している。さらに、
−上記溝は、３１０ａ及び３１１ａなどの端部に近づくよりも、中央部分に近づくほど幅が広くなっていることが好ましい（図１０の幅ｅ１参照）。
【００３７】
または、図１３に示すように溝を作成する。すなわち、
−各溝３１ｄによって形成される（広がって）丸く突き出した、つまり花弁状の弓形は中央部分３２０を有し、当該中央部分３２０は、上記端部（同図においては３１０ａ及び３１１ｄ）と比較して、上記挿入物の上記外周により近く位置している。さらに、
−上記溝は、端部に近づくよりも、中央部分に近づくほど幅ｅ２が広くなっている。
【００３８】
第３の解決手段（図３、図１１及び図１２に示す）は、上記第１の解決手段に対応するが、以下の点で異なる。すなわち、上記延伸溝の上記幅が、長さ方向においてほぼ全体的に一定であり、従って直径の小さい挿入物により適している。しかしながら、例外もあり得る。
【００３９】
特に、強い熱勾配を生じる可能性のある上記基部の高い機械的安定性のために、上記延伸溝によって望ましい形で形成される弓形に関しては、様々な選択が可能であることが理解されるであろう。
【００４０】
図１２において、１つの実施形態を推奨する。本実施形態は、少なくとも３つの、長さの等しい弓形３１ｃを有している。当該弓形３１ｃは、上記基部における中心の周りに、二等辺三角形を形成して配置されている。当該二等辺三角形の辺は、上記中心に向かって凸状をなした弓形であり、当該二等辺三角形におけるそれぞれの角では、上記弓形は２つに分かれている。
【００４１】
図１３では、上記弓形は上記中心の周りに位置し、放射状の複数（同図では５つ）の花弁形３１ｄを形成している。当該花弁形３１ｄはそれぞれ、上記基部３の上記外周に対向する凸部を有している。
【００４２】
さらに、図１３において、上記弓形はそれぞれＵ字形であり、２つの側部は、当該弓形と交差する、４１などの対応する放射軸に対して対称である。上記各側部を結ぶ上記中央部分よりも上記中心に近い、互いに離れている各端部における、上記Ｕ字の各側部の間の距離（ｈ１など）は、上記中央部分の長さｈ２よりも短い。
【００４３】
一方、図３、図９及び図１０から図１２では、上記弓形はそれぞれＵ字形であり、上記基部の上記外周１０ａに対向して端部が突き出ている。上記弓形は、図６において参照番号４３で表わされるような放射軸に対して対称である２つの部分（同図の３１２及び３１４など）を有している。
【００４４】
本記載において上述したが、図３及び図６において（ただし、他の溝配置においても同様に）、延伸されていない、閉じられた外形（ここでは円形）に沿って、上記第１の（軟質）材料１ｂによって満たされ、上記溝（ここでは３１ａ）よりも上記中心に近い開口３０ａは、上記挿入物１ａを貫通していることに注目されるであろう。
【００４５】
これは、変形防止などの上記目的の面で望ましい。
【００４６】
また、図１３に示す実施形態を除く、上述した例示的な全実施形態のように、各延伸溝によって形成される上記弓形が、上記端部と比較して、上記中心により近く位置する中央部分を有している場合、上記第１の軟質材料によって満たされ、円形の外形を有する、上述した（３０ａで参照される）他の開口は、上記挿入物１ａを貫通することが望ましい。
【００４７】
特に、図１３の場合は（その他の場合にも当てはまる可能性はあるが）、上記溝の上記中央部分３２０が全体として、上記挿入物１ａの上記外周の近くに位置する、非連続性の環状の形状を形成し、上記他の開口（３０ａで参照されるが、その一部のみが示される）は上記挿入物を貫通する。これらの開口は、上記と同様に、好ましくは円形の外形に沿って、上記基部軟質材料によって満たされ、各延伸溝３１ｄによって形成される丸みのある上記弓形の形状の内部に位置する。
【００４８】
上記器具の製造は、以下のように行うことが推奨される。
【００４９】
初めに、従来のようにリベットで固定することもできるが、特に圧着、すなわち冷圧着（常温圧着）または熱圧着を用いることができる。
【００５０】
上記第１の場合は、上述したアルミニウムなどの軟質金属の塊を初めに用いることが可能である。当該塊は、上記挿入物を凹部嵌入によって接合して帽子状部材（１１など）を得るために整形されるか、または、まず上記基部３を、上記と同様に上記挿入物１ａを凹部嵌入させて形成し、その後上記帽子状部材の上記側壁を上向きに形成するために、上記と同様に上記軟質金属を変形させる。
【００５１】
銅製の円盤などの部分的な補助部材を、上記側壁との接合前に、具体的には、上記基部の上記外周に設けてもよい。これによっても、上記帽子状部材が、少なくとも大部分は、上記挿入物の材料よりも軟質である一定の／上記の材料によって構成されることになる。
【００５２】
図１から図３に示す上記実施形態の場合、硬質金属からなる挿入物１ａをまず準備した。当該挿入物１ａは、図中では、より軟質の上記基部３の中心に位置する小型の円盤として表わされている。冷圧着によって、上記挿入物を凹部嵌入させ、全ての上記開口部７（延伸溝３１ａ及びその他の開口３０ａ）が上記軟質金属（充填物３３ａ）によって満たされる。
【００５３】
図４から図６に示す上記実施形態による類似の場合では、上記挿入物１ａの上記凹部嵌入は、隆起した周縁端部１２ａを有する口金を用いて実現された。上記と同様に冷圧着を用いて、金型による圧力下にて、より軟質の上記材料が上記開口部７に流し込まれた。さらに、上記周縁端部１２ａは当該金属に対して凹部嵌入され、図５に示す状態が得られる（端部１２ａのうちの１つは、方向を異ならせてもよい）。
【００５４】
図７から図９に示す上記実施形態の場合、上記挿入物１ａの上記凹部嵌入は、熱圧着によって実現された。本実施形態では、上記帽子状部材１０ｂは、ステンレス鋼などの硬質材料からなり、予め形成されている。層１ｂは、アルミニウムなどのより軟質の材料の塊から形成され、上記帽子状部材における上記硬質の基部３と、上記硬質の挿入物１ａ（本実施形態では、ステンレス鋼）との融点よりも、低い融点を有している。当該層１ｂは、上記基部３と上記挿入物１ａとの間に挟持される。特に初めに板状の挿入物を用いた場合、上記熱と上記圧着とによって、上記軟質材料を流動させ、当該軟質材料は上記挿入物の上記開口部７を満たす一方、上記挿入物の周縁を屈曲させた。しかしながら、初めの形状は口金状であることが好ましい。これは、圧着によって、図８の領域４５のように、上記挿入物と上記帽子状部材との各端部が重なり、また、当該領域において上記軟質金属を上方に移動させ、その結果、上記挿入物と、変形された上記軟質の塊１ｂと、上記帽子状部材の上記基部と、の間を密着させるからである。
【００５５】
図１０から図１３に示す形状の溝を有する上記挿入物１ａに対しては、上記方法の１つを用いることができる。
【００５６】
なお、上記開口部７の断面、特に上記穴３０ａの断面は、かならずしも円筒型である必要はない。従って断面を、例えば円錐台形にすることが考えられる。
【図１】
2010535046.tif 000003
【図２】
2010535046.tif 000004
【図３】
2010535046.tif 000005
【図４】
2010535046.tif 000006
【図５】
2010535046.tif 000007
【図６】
2010535046.tif 000008
【図７】
2010535046.tif 000009
【図８】
2010535046.tif 000010
【図９】
2010535046.tif 000011
【図１０】
2010535046.tif 000012
【図１１】
2010535046.tif 000013
【図１２】
2010535046.tif 000014
【図１３】
2010535046.tif 000015
【手続補正書】
【提出日】平成21年5月27日(2009.5.27)
【手続補正１】
【補正対象書類名】特許請求の範囲
【補正対象項目名】全文
【補正方法】変更
【補正の内容】
【特許請求の範囲】
【請求項１】
硬質材料からなる挿入物（１ａ）によって下部が二重構造になっている基部（１ｂ、３）と、上記基部との接着のための、上記挿入物を貫通する開口（７）とを含み、当該開口のうちの少なくともいくつかは、延伸溝（３１ａ、３１ｂ、３１ｃ、３１ｄ）を形成し、当該延伸溝はそれぞれ、その長さ方向において、丸みのある弓形の形状をなしており、
上記延伸溝（３１ａ、３１ｂ、３１ｃ、３１ｄ）は、延伸する、長手方向における対向端部（３１０ａ、３１１ａ；３１０ｄ、３１１ｄ）を有し、当該対向端部は全て、上記挿入物（１ａ）の中心に向かって延伸するか、または上記挿入物の外周に向かって延伸することを特徴とする調理器具。
【請求項２】
上記挿入物（１ａ）は円板状であり、上記長手方向における対向端部（３１０ａ、３１１ａ、３１０ｄ、３１１ｄ）は、上記挿入物においてほぼ放射状に延伸していることを特徴とする請求項１に記載の調理器具。
【請求項３】
上記延伸溝（３１ａ、３１ｂ、３１ｃ…）は、
２つの対向端部（３１０ａ、３１１ａ、３１０ｄ、３１１ｄ）を有し、端部は２つのみであり、及び／または、
上記延伸溝の外形は閉じられていることを特徴とする請求項１または２に記載の調理器具。
【請求項４】
上記延伸溝における上記対向端部（３１０ａ、３１１ａ、３１０ｄ、３１１ｄ）はそれぞれ、隣接する延伸溝における上記対向端部の１つに対してほぼ平行であることを特徴とする請求項１から３のいずれか１項に記載の調理器具。
【請求項５】
上記延伸溝における上記対向端部（３１０ａ、３１１ａ、３１０ｄ、３１１ｄ）は、直線状の中心部分、または、上記基部の上記外周（１０ａ）に対向する凸部を有する屈曲部分、を介して互いに接合する２つの直線状の側部の一部であることを特徴とする請求項１から４のいずれか１項に記載の調理器具。
【請求項６】
各延伸溝（３１ｄ）によって形成される上記弓形は、上記対向端部（３１０ａ、３１１ａ、３１０ｄ、３１１ｄ）と比較して、上記挿入物の上記外周のより近くに位置する中央部分を有し、
上記延伸溝は、好ましくは、上記対向端部に向かうよりも、上記中央部分に向かって幅が広くなることを特徴とする請求項１から５のいずれか１項に記載の調理器具。
【請求項７】
各延伸溝（３１ａ、３１ｂ、３１ｃ）によって形成される上記弓形は、上記対向端部（３１０ａ、３１１ａ、３１０ｄ、３１１ｄ）と比較して、上記挿入物（１ａ）の上記中心のより近くに位置する中央部分を有し、
上記延伸溝は、好ましくは、上記対向端部に向かうよりも、上記中央部分に向かって幅が大きくなることを特徴とする請求項１から４のいずれか１項に記載の調理器具。
【請求項８】
上記基部における中心の周りに、二等辺三角形を形成して配置される、長さの等しい上記弓形（３１ｃ）を３つ含み、上記二等辺三角形の辺は、当該二等辺三角形の中心に対向する凸部を有する弓状であり、上記二等辺三角形におけるそれぞれの角では、上記弓形は互いから離れていることを特徴とする請求項１から４のいずれか１項に記載の調理器具。
【請求項９】
上記弓形は、上記中心の周りに配置され、放射状の複数の花弁形（３１ｄ）を形成し、それぞれが上記基部の上記外周（１０ａ）に対向する凸部を有していることを特徴とする請求項１から４のいずれか１項に記載の調理器具。
【請求項１０】
互いに異なる上記弓形（３１ｄ）はそれぞれＵ字形であり、放射軸（４１）に対して対称の２つの部分を有し、上記Ｕ字形の各側部の間の距離（ｈ１）は、当該各側部を結ぶ上記中央部分よりも上記中心に近い、上記各側部における、互いから離れている各端部において、上記中央部分の長さ（ｈ２）よりも短いことを特徴とする請求項９に記載の調理器具。
【請求項１１】
上記弓形はそれぞれ、上記基部の上記外周（１０ａ）に端部が対向して突き出るＵ字形であり、放射軸（４１、４３）に対して対称の２つの部分を有することを特徴とする請求項１から４のいずれか１項に記載の調理器具。
【請求項１２】
ほぼ円形の外形を有し、上記延伸溝（３１ａ、３１ｂ…）と比較して、上記基部の上記中心のより近くに位置する他の開口（３０ａ）が、上記挿入物（１ａ）を貫通していることを特徴とする請求項１から１１のいずれか１項に記載の調理器具。
【請求項１３】
各延伸溝（３１ａ、３１ｂ、３１ｃ）によって形成される上記弓形は、上記端部と比較して、上記挿入物の上記中心のより近くに位置する中央部分を有し、
ほぼ円形の外形を有する他の開口（３１ａ）が上記挿入物を貫通していることを特徴とする請求項４に記載の調理器具。
【請求項１４】
ほぼ円形の外形を有し、各延伸溝（３１ａ、３１ｂ…）によって形成される上記丸みのある弓形の形状の内側に位置する他の開口（３０ａ）が上記挿入物を貫通していることを特徴とする請求項１から１０のいずれか１項に記載の調理器具。
【請求項１５】
上記基部（１ｂ、３）は、少なくとも大部分が、上記挿入物（１ａ）の材料よりも軟質の第１材料からなる帽子状部材（１１）の一部であり、上記挿入物は、延伸溝（３１ａ、３１ｂ、３１ｃ）を含む、上記挿入物を貫通する開口（３０）によって上記第１材料に対して凹部嵌入されており、上記基部は互いに凹部嵌入される２つの層のみによって形成されることを特徴とする請求項１から１４のいずれか１項に記載の調理器具。
【請求項１６】
上記基部（１ｂ、３）は上記挿入物（１ａ）の材料よりも軟質の材料からなる層（１ｂ）を含み、より軟質の当該層は、
上記延伸溝（３１ａ、３１ｂ、３１ｃ）を含む、貫通する上記開口（７）によって上記第１材料に凹部嵌入される上記挿入物（１ａ）と、
より軟質の上記層（１ｂ）の材料よりも硬質の材料からなる帽子状部材（１０ｂ）における基部壁（３）と、
の間に挟持されることを特徴とする請求項１から１４のいずれか１項に記載の調理器具。
【国際調査報告】
2010535046.tif 000016
2010535046.tif 000017
2010535046.tif 000018
2010535046.tif 000019